(57)【要約】   【課題】旋回流を使用する洗浄方式の便器装置に関し、臭気の吸気効果を向上させる便器装置を提供する。  【解決手段】便器装置２１の旋回流Ｑ用の凹状溝３０はボウル２４の上端部２４ａ全周に亘って平面視環状に形成され、凹状溝３０はボウル２４に連続して形成される底面３０ａと奥面３０ｂとボウル２４の上端部２４ａを塞ぐリム部２５の下面を天面３０ｃとして形成される。リム部２５の下端部２５ａはボウル２４の上端部２４ａに固着される。臭気Ｒを含む空気を吸気する吸気口３１が便器本体２２の後方左側の凹状溝３０の天面３０ｃに設けられ、吸気口３１の縁部３１ａを囲むように堰３２を備える。脱臭装置３５は吸気口３１から順番に空気流路３６、脱臭フィルター３７、脱臭ハニカム３８、ファン３９、排気口４０で一体的に形成される。  【選択図】図３
2008095440.tif 000002
【特許請求の範囲】
【請求項１】
旋回流を用いて洗浄する便器装置であって、
前記旋回流用の凹状溝が便器本体のボウルの上端部全周に亘って環状に形成され、この凹状溝はボウルに形成される底面と奥面と前記ボウルの上端部を塞ぐリム部を天面として形成され、脱臭用の吸気口が前記凹状溝の天面に設けられることを特徴とする便器装置。
【請求項２】
請求項１に記載の便器装置であって、前記吸気口の縁部に堰を備えることを特徴とする便器装置。
【発明の詳細な説明】
【技術分野】
【０００１】
本発明は、旋回流を使用する洗浄方式の便器装置に関し、臭気の吸気効果が向上する脱臭装置を備えた便器装置の技術に関する。
【背景技術】
【０００２】
従来、便器装置における脱臭装置として、特許文献１の方法が知られている。
【０００３】
特許文献１によれば、図４に示すように、便器装置１には便器２の前部上方に開口するボウル５が設けられ、ボウル５の後部上面６に温水洗浄装置３が載置される。そして、温水洗浄装置３に脱臭装置４が内装される。
【０００４】
脱臭装置４は、空気を吸気口１０から吸入して脱臭するため空気流路２０内に図示しない脱臭フィルターや脱臭ハニカムを備え、空気を排気するためのファンが設けられる。
【０００５】
吸気口１０から続くダクト１９は、温水洗浄装置３のハウジングを構成する下部ハウジング１９ａと、この下部ハウジング１９ａのダクト形成部分に上方から取り付けられる上部ハウジング１９ｂとで形成される。
【０００６】
ここで、ボウル５の開口縁には、強度向上のためや洗浄水をボウル５の内部全体に行き渡らせるためのリム部１５が形成されている。
【０００７】
また、ボウル５の開口後縁部は、ボウル５の左右後域部を構成するリム部１５の上面よりも一段低くなるように形成された凹没部７が設けられる。
【０００８】
そして、凹没部７に収納される温水洗浄装置３の前端部分の右端部に、脱臭装置４の吸気口１０が設けられる。吸気口１０は、凹部８の天井面８ｂに開口して上記空所９に臨む下方吸気口１０ｂと、凹部８の立上り面８ａに開口して上記空所９に臨む前方吸気口１０ａとで構成される。
【０００９】
ボウル５の内部の臭気成分を含んだ空気は、脱臭装置４のファンの駆動によって、矢印Ａ，Ｂに示すように、前方吸気口１０ａや下方吸気口１０ｂからダクト１９内に吸引され、脱臭フィルターや脱臭ハニカムにて脱臭処理がなされて排気される。
【００１０】
この構成であれば、矢印Ａで示すように前方吸気口１０ａによってボウル５の前方域から吸気することができ、矢印Ｂで示すように下方吸気口１０ｂによってボウル５の下方域から吸気することができるから、ボウル５の広い範囲の空気を吸気できるので脱臭効果が向上する。
【特許文献１】特開２００６−２４８８号公報
【発明の開示】
【発明が解決しようとする課題】
【００１１】
ところが、リム部１５の上方が自由空間領域なので、ボウル５から上昇した臭気はリム部１５の領域において外部空気と混合して臭気密度が低下している。このため、吸気口１０による臭気の吸気効果が低いという問題があった。
【００１２】
そこで、本発明は、旋回流を使用する洗浄方式の便器装置に関し、臭気の吸気効果を向上させる脱臭装置を備えた便器装置を提供することを目的とする。
【課題を解決するための手段】
【００１３】
請求項１の発明は、旋回流を用いて洗浄する便器装置であって、前記旋回流用の凹状溝が便器本体のボウルの上端部全周に亘って環状に形成され、この凹状溝はボウルに形成される底面と奥面と前記ボウルの上端部を塞ぐリム部を天面として形成され、脱臭用の吸気口が前記凹状溝の天面に設けられることを特徴としている。
【００１４】
請求項２の発明は、請求項１に記載の便器装置であって、前記吸気口の縁部に堰を備えることを特徴としている。
【発明の効果】
【００１５】
請求項１の発明によれば、前記凹状溝はボウルに形成される底面と奥面と前記ボウルの上端部を塞ぐリム部を天面として形成され、脱臭用の吸気口が前記凹状溝の天面に設けられる。
【００１６】
このため、吸気口がリム部の下方に位置するので、臭気が外部空気とあまり混合していない状態で吸気されるので、臭気密度の低下を防ぐことができるため臭気の吸気効果が向上する。
【００１７】
さらに、旋回流の近傍では旋回流の流速によって生じるバキューム効果によって前記ボウル内を上昇してくる臭気が吸引されるため、この旋回流に隣接して設けられる吸気口によって臭気を効果的に吸引することができるので臭気の吸気効果がさらに向上する。
【００１８】
請求項２の発明によれば、前記吸気口の縁部に堰を備えるので、洗浄水が前記吸気口に万一侵入しようとした場合でも、堰の高さ効果によって洗浄水の侵入を防止することができる。このため、脱臭装置内への臭気発生に繋がる物質の侵入が防止できるとともに衛生性が向上する。
【発明を実施するための最良の形態】
【００１９】
以下に、本発明の実施形態を図１〜図３に基づいて説明する。
【００２０】
＜便器装置の構成＞  
図１、図２、図３に示すように、本発明の実施形態における旋回流Ｑを用いて洗浄する便器装置２１は便器本体２２がスカート部２３とボウル２４とリム部２５とから成り、ヒンジ式の便座２６と便蓋２７を備える。
【００２１】
旋回流Ｑ用の凹状溝３０はボウル２４の上端部２４ａ全周に亘って平面視環状に形成され、凹状溝３０はボウル２４に連続して形成される底面３０ａと奥面３０ｂと天面３０ｃで形成される。ここで、天面３０ｃはボウル２４の上端部２４ａを塞ぐリム部２５の下面でもある。
【００２２】
リム部２５の下端部２５ａはボウル２４の上端部２４ａに固着され、この下端部２５ａと上端部２４ａはスカート部２３に固着される。
【００２３】
そして、臭気Ｒを吸気する吸気口３１が便器本体２２の後方左側の凹状溝３０の天面３０ｃに設けられ、吸気口３１の縁部３１ａを囲むように堰３２を備える。堰３２は吸気口３１の周囲にできるだけ高く設けることが好ましい。
【００２４】
ここで、脱臭装置３５は図示しない洗浄後ノズルと洗浄後の乾燥用温風ファンと一体的にケーシング４１内に納められている。そのため、堰３２の一部はケーシング４１の前面板部４１ａを共用している。
【００２５】
ケーシング４１内の脱臭装置３５は吸気口３１から順番に空気流路３６、脱臭フィルター３７、脱臭ハニカム３８、ファン３９、排気口４０が一体的に形成される。
【００２６】
なお、旋回流Ｑの洗浄水が便器本体２２の後方右側から図示しないノズルで吐出されるので、吸気口３１は旋回流Ｑの水勢の影響を一番受け難い場所として便器本体２２の後方左側に設定されている。
【００２７】
＜便器装置の作用＞
上記、脱臭用の吸気口３１が凹状溝３０の天面３０ｃに設けられてリム部の最下方に位置するので、臭気は外部空気とあまり混合していない状態のため、臭気密度の低下を防ぐことができて臭気の吸気効果を向上することができる。
【００２８】
また、万一洗浄水の水位が上昇した場合や水跳ねの場合でも、堰３２によって洗浄水が空気流路３６に侵入するのを防止することができる。
【００２９】
このため、脱臭装置３５の内部を衛生的に保持できる。また、脱臭装置３５内の各機器類を洗浄水から保護することができるので脱臭装置３５の性能および寿命を延ばすことができる。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
たとえば、凹状溝３０の天面３０ｃに設けられる吸気口３１は、旋回流Ｑの影響を受け難い位置であれば必ずしも便器本体２２の後方左側でなくてもよい。
【００３２】
堰３２はできるだけ吸気口３１の縁部３１ａに設けることが好ましいが、ケーシング４１内の区画部材等を利用して吸気口３１から若干離れた位置に設けても構わない。この場合洗浄水が万一堰３２近傍に浸入した場合でも侵入水がボウルに自動的に戻るような傾斜等が設けることが好ましい。
【図面の簡単な説明】
【００３３】
【図１】本発明の実施形態における便器装置の斜視図である。
【図２】本発明の実施形態における便器装置の、図１におけるＡ−Ａ矢視図である。
【図３】本発明の実施形態における便器装置の、図１におけるＢ−Ｂ断面図である。
【図４】従来の便器装置の脱臭装置を示す断面図である。
【符号の説明】
【００３４】
２１  便器装置
２２  便器本体
２４  ボウル
２４ａ  上端部
２５  リム部
２５ａ  下端部
３０  凹状溝
３０ａ  底面
３０ｂ  奥面
３０ｃ  天面
３１  吸気口
３１ａ  縁部
３２  堰
３５  脱臭装置
３６  空気流路
３７  脱臭フィルター
３８  脱臭ハニカム
３９  ファン
４０  排気口
Ｑ  旋回流
Ｒ  臭気
【図１】
2008095440.tif 000003
【図２】
2008095440.tif 000004
【図３】
2008095440.tif 000005
【図４】
2008095440.tif 000006